(57)【特許請求の範囲】
【請求項１】
可撓性基板の各端部に設けられた一対の端子部と、これら端子部間を接続する配線部とをそなえ、前記可撓性基板を屈曲可能に構成したフレキシブルプリント基板において、
前記配線部は、間に空間を持った２部分として形成され、かつ配線の伸びる方向に対して交差する方向の折り曲げ襞を有し、
この折り曲げ襞は、前記フレキシブルプリント基板の一面から見て山と谷とを含むものであって、前記折り曲げ襞に沿って折り畳み得るように構成され、
折り曲げ外周側の前記配線部が折り曲げ内周側の前記配線部よりも折り曲げ周方向に長くなるように構成された
ことを特徴とするフレキシブルプリント基板。
【請求項２】
機器ケースが２部分に分かれ、これら２部分がヒンジで結合された電子機器において、
前記ヒンジに、請求項１記載のフレキシブルプリント基板が設けられた電子機器。
【発明の詳細な説明】
【０００１】
【発明の属する技術分野】
本発明は、フレキシブルプリント基板（以下、単にＦＰＣという。）に係り、とくに携帯用電子機器を始めとするヒンジにより結合された２部分構成の電子機器用のＦＰＣおよびそれを用いた電子機器に関する。
【０００２】
【従来の技術】
ノートパソコン、携帯情報端末、携帯電話、ビデオカメラなどの携帯用電子機器では、機器ケースがヒンジで結合された２部分、たとえばディスプレイ部分と本体部分という構成のものが種々ある。そして、ヒンジでは、機械的な連結構造を持つとともに、電気的な結合のためにＦＰＣが内蔵されている。これにより小型、軽量なヒンジを構成している。
【０００３】
【発明が解決しようとする課題】
この場合、平面的な広がりをあまり取らないために、片面ＦＰＣを２枚用い、重ねて配置する方法がある。
【０００４】
しかしながら、片面ＦＰＣを２枚重ねて用いる方法は、接続すべき相手基板に２つづつのコネクタが必要となる上に、部品点数が増えて組み立ての手間も掛かる。そこで、両面に配線パターンを有する両面ＦＰＣを使用する方法もある。しかし、両面ＦＰＣは片面ＦＰＣに比べて可撓性が低い。これは、両面ＦＰＣの構造に起因するもので、スルーホールメッキを施しているため、屈曲する度に両面の配線パターンが絶縁ベース部を介して引っ張り合い、繰り返し応力による断線が生じ、屈曲回数が多くない。
【０００５】
スルーホール内壁およびスルーランドのみにスルーホールメッキを行う機器でも、必要な屈曲回数が実現できない問題がある。
【０００６】
本発明は上述の点を考慮してなされたもので、１枚構成であって所要配線数を確保でき、しかも屈曲性に優れたＦＰＣを提供することを目的とする。
【０００７】
【課題を解決するための手段】
上記目的達成のため、本発明では、
可撓性基板の各端部に設けられた一対の端子部と、これら端子部間を接続する配線部とをそなえ、前記可撓性基板を屈曲可能に構成したフレキシブルプリント基板において、
前記配線部は、間に空間を持った２部分として形成され、かつ配線の伸びる方向に対して交差する方向の折り曲げ襞を有し、
この折り曲げ襞は、前記フレキシブルプリント基板の一面から見て山と谷とを含むものであって、前記折り曲げ襞に沿って折り畳み得るように構成され、
折り曲げ外周側の前記配線部が折り曲げ内周側の前記配線部よりも折り曲げ周方向に長くなるように構成された
ことを特徴とするフレキシブルプリント基板、
を提供するものである。
【０００８】
【発明の実施の形態】
図１および図2は、本発明の適用対象例であるＦＰＣの説明図であって、図３ないし図６は、本発明の２つの実施例についてのＦＰＣ展開時および屈曲時の形態を示す正面図であり、図３および図４が第１の実施例を、そして図５および図６が第２の実施例をそれぞれ示している。
【０００９】
図１は、図示上端および図示下端に端子１１，１２を有し、両端子間は相互間が空間で隔てられて迂回形状を持った２つの配線部２１，２２により接続されている。配線パターンは、図示省略されているが、端子部１１，１２間を相互に接続するように形成されている。そして、配線部２１と２２とのほぼ中間の位置には、配線の伸びる方向と交差する方向に折り曲げ襞３１，３２が形成されており、この折り曲げ襞３１，３２が谷となるように、折り曲げ襞３１，３２に沿って配線部２１と２２とを重ね合わせるように折り曲げる。
【００１０】
図２は、図１に示したＦＰＣを折り曲げた後の状態を示したものである。この状態では、配線部２１の背後にもう一つの配線部２２が隠れた状態となっており、電子機器への組み込み状態である。すなわち、電子機器への組み込み状態での形状に適合するように、換言すれば他の部品を避けるように、配線部２１，２２の迂回形状および空間の形状を決める。
【００１１】
図示の場合は、上側端子１１の直下に他の部品があり、それを避けるように大きく迂回したあと、下側端子１２に向かって回り込んだ形状となっている。そして、折り曲げ後の輪郭線は、端子１１，１２、配線部２１とで形成され、配線部２１と図示しない配線部２２との間の折り曲げ襞３１、３２の背面側が見えている。
【００１２】
そして、配線部２１（２２）は、図示上下方向に1ターン程度巻き込んで途中にループを形成するように使用する。その際、配線部同士が邪魔し合わないために、配線部２１（２２）は蛇行状に形成されている。この際、配線部２１，２２は、巻き込み外側であれば伸長作用を受けるし、巻き込み内側であれば縮小作用を受ける。
【００１３】
配線部２１，２２の途中に設けられる折り曲げ部３１，３２がそれらの作用を受けるのは好ましくないから、折り曲げ部３１，３２を配線部２１，２２のどのような位置に設けるか配慮をする必要がある。
【００１４】
図３は、本発明の一実施例を示す展開図である。この実施例は、図１および図２に示したＦＰＣの折り曲げ時形状を縮小するように、図１、図２における折り曲げ襞３２を改変したものである。すなわち、配線部２１と２２との間の折り曲げ襞３２´は図１、図２における折り曲げ襞３２が谷形であったのに対し、山形に形成する。そして、折り曲げ襞３２´の両側に両者でＶ字を構成するように、斜め方向に谷形の折り曲げ襞３３ａ，３３ｂを形成して、４層折り畳みが可能な構造としている。
【００１５】
この折り畳み構造では、山折り、谷折りの折り曲げを組み合わせることにより、電子機器への組み込み時に外側になるフレキシブルプリント基板と内側になるフレキシブルプリント基板とは内外周の差が出るから、屈曲性を増すことができる。折り曲げ位置を調整することによって外側、内側になるフレキシブルプリント基板の長さが変わることを利用するものである。
【００１６】
図４は、これら折り曲げ襞３２´，３３ａ，３３ｂを折り曲げた状態を示している。このように折り曲げ後は、折り曲げ襞３３ａの背後側が見える状態となり、破線で示すように配線部２１，２２の折り曲げ襞３３ａ，３３ｂよりも折り曲げ襞３２´寄りの部分は、折り込まれて見えない。
【００１７】
ここでは、下側折り曲げ襞だけを４層折り畳み構造としているが、上側折り曲げ襞３１についても同様に折り畳み構造としてもよい。そして、折り畳まれた分だけ他の部品に対する逃げ代が増す。
【００１８】
図５は、折り曲げ襞を斜めに設けられた谷形２つ、山形２つとして配線部を斜めに重ね合わせる折り畳み構造を実現している。
【００１９】
すなわち、図示上側には谷型折り曲げ襞３４および山形折り曲げ襞３５を斜め平行方向に配し、図示下側には谷型折り曲げ襞３６および山形折り曲げ襞３７を斜め平行方向に配している。
【００２０】
この折り畳み構造も、図３の実施例と同様に、山折り、谷折りの折り曲げを組み合わせることにより、フレキシブルプリント基板における内外周の差を利用して屈曲性を増すことができる。そして、折り曲げ位置を調整することによって外側、内側になるフレキシブルプリント基板の長さが変わることを利用する点も同様である。
【００２１】
図６は、これら折り曲げ襞３４，３５，３６および３７を折り曲げて折り畳んだ状態を示しており、配線部２１，２２はほぼＳ字に近い曲がり具合で折り畳まれ、折り曲げ襞３４，３７の部分がそれぞれ図示左右に突出した状態となる。
【００２２】
このような折り畳み形状により、他の部品を配線部２１の左右に避けることができる。また、折り曲げ襞３４，３５，３６および３７が斜めに設けられているから、折り畳みによりＦＰＣの全長と全幅とが縮小される。
【００２３】
【発明の効果】
本発明は上述のように、フレキシブルプリント基板における配線部が、間に空間を挟んだ２部分として形成され、かつ配線の伸びる方向に対して交差する方向の折り曲げ襞を有し、かつ折り曲げ襞はフレキシブルプリント基板の一面から見て山と谷とを含むものであるため、元来屈曲性のよい片面ＦＰＣの特徴を活かすことができ、しかも折り曲げ襞の方向が適当で配線の断線も起き難くて屈曲性が良好であり、その上、2部分からなる配線部が折り曲げ時の内外周差を吸収する長さの差を有するものであることにより、一層屈曲性の高いＦＰＣを提供することができる。
【図面の簡単な説明】
【図１】本発明の適用対象を示す説明図。
【図２】図１に示したＦＰＣの折り畳み時形状を示す説明図。
【図３】本発明の一実施例の構成を示す説明図。
【図４】図３に示した実施例の折り畳み状態を示す説明図。
【図５】本発明にかかる他の実施例の構成を示す説明図。
【図６】図５に示した実施例の折り畳み状態を示す説明図。
【符号の説明】
１１，１２  端子部
２１，２２  配線部
３１，３２，３３  折り曲げ襞
【図１】
0003544930.tif 000002
【図２】
0003544930.tif 000003
【図３】
0003544930.tif 000004
【図４】
0003544930.tif 000005
【図５】
0003544930.tif 000006
【図６】
0003544930.tif 000007